(57)【要約】      （修正有）【課題】装飾品、特に女性の使用するコサージュ・ブライダルブーケの需要者に対する選択の幅を拡大して需要者の趣味の一環に応えることを可能とする。【解決手段】金属箔と染布とを張り合わせた花びらと葉１０から成るコサージュとブーケを提供する。【選択図】図３
0003121606.tif 000002
【実用新案登録請求の範囲】
【請求項１】
膠又は化学のりを用いて布と箔を張り合わせ、これを使用した装飾品。
【請求項２】
張り合わせる布は染色したものを用いることを特徴とした装飾品。
【請求項３】
布と箔を張り合わせたものを使用することを特徴とするコサージュ。
【請求項４】
布と箔を張り合わせたものを使用することを特徴とするブーケ。
【考案の詳細な説明】
【考案の詳細な説明】
【０００１】  ［考案の属する技術分野］
この考案は、装飾品、特に女性が使用するコサージュとブライダルブーケに関するものである。
【０００２】  ［従来の技術］
今日、女性が使用するコサージュは色鮮やかな布、レース、ビーズ等さまざな材料を用いて構成されたものとなっている。また、ブーケにおいても多種類の生花又は造花で構成されたものである。
【考案が解決しようとする課題】
【０００３】  しかしながら既製の布で構成されるコサージュは、染色の際に染料に金箔・銀箔を混ぜ込む程度のもので、形成途中で箔が落ちていくこともしばしばであった。又、サテンラメ等の化繊布を使用したコサージュは、派手さはあるものの化繊布であるがゆえ、貴金属のように需要者の高級感を満たすものとはなってはいない。
【０００４】  ブーケにおいても、花の種類が豊富であるとは言え、花の組み合わせパターンは均一になりがちで、さらに華やかさを増していくウエディングドレスを飾るものとして、需要者の中には従来のブーケよりも、より華やかで高級志向を満たすものを求めており、その選択に応えるものではなかった。
【０００５】  需要者の高級志向を満たせる貴金属は、その重量から現在ブローチとして形成されるのみでコサージュ・ブーケとは程遠いものである。
【０００６】  そこでこの考案は、需要者の選択の幅を拡大して、需要者の高級志向・趣味の一環に応えることを可能とし、コサージュはもちろん、ブーケにおいては長期間の保存が可能であるため、華やかなインテリアグッズとしても好適なブーケを提供することを目的とする。
【課題を解決するための手段】
【０００７】  しかして、この考案に係るコサージュ及びブーケは、膠又は化学のりを用いて、布と箔を張り合わせたものにより成ることを特徴としている。（請求項１）
【０００８】  これにより、金属箔の持つ高級感、特に金箔・プラチナ箔の豪奢さは、より需要者の趣味に応えやすくなる。
【０００９】  また、この考案に係る装飾品は、金属箔と染色した布を張り合わせることを特徴としている。（請求項２）
【００１０】  これにより、コサージュ及びブーケを作る際、重ね合わせていく花びら等に裏面の布色が表面の金属箔に反映し、箔そのものを染めることなく、たとえば紫がかった金箔・赤味がかったプラチナ箔となる。また、現在造花を作るにはその花の表情を出すために専用のこてを使用するが、金属箔面にこてを使用すると熱源となるこて部に金属箔が全面的に付着するためこて使用は当て布をして必要最小限にとどめる。その代わりに手びねりを施し、そり返しや曲げなどにより表情をだす。裏面の布がこの作業によって伸びることにより、表面の金属箔は粒子状に広がり裏面の布が表に出現する。織りの粗いものは金属粒子が散漫に拡がり、織りの密なものは細かい粒子状になりなめらかに拡がることになる。この現象により、布と金属箔を張り合わせて作る装飾品は、布と金属箔の持つ特性をより効果的なものとする。
【００１１】  布と箔を張り合わせたものを使用することを特徴とするコサージュ（請求項３）
【００１２】  現在、金属によるコサージュは、その完成品の重量からより大きなものを作るには不向きであるが、布と箔を張り合わせたものから成るコサージュは軽量であり、十分な大きさにも対応することが出来る。又、布と金属箔の持つ両長所を生かした、高級感があり、さらに多種の色を反映することが出来るコサージュ作りが可能となる。
【００１３】  コサージュと同様に、この考案に係るブーケは布と箔を張り合わせたものを使用することを特徴としている。（請求項４）
【００１４】  ますます豪奢性を増すウエディングドレスに従来のブーケに比し、より対応出来る高級感、豪華さを併せ持つブーケ作りが可能となる。
【００１５】  ［考案の実施の形態］
この考案の実施形態の一例について図面により説明する。
【００１６】  図１・及び図２において、例えば女性が胸に飾るコサージュとして用いるゆりの花びらをモチーフとした実施形態の全体構成が示されている。
【００１７】  コサージュ１を構成する花びら２はゆり花びらをモチーフとしており、花びら表面はプラチナ箔、裏面は絹生地となっている。張り合わせる組み合わせはこれに限定せず、表面はすべての金属箔、裏面はすべての布種類とする。
【００１８】  コサージュ１は複数の表面はプラチナ箔、裏面は絹生地を張り合わせた花びら２で構成されている。この実施形態では、花びら２を複数重ね合わせることにより、下部の花びら６部分に上部花びら裏面の布色が反映されている。６はすべての下部花びらに現れる現象である。又、花びらとしての表情を出すため、手びねり、そり返し等の作業により花びら２の表面の金箔は粒子状に伸び５部には裏布が出現している。これも多数みられる現象である。ここに、本発明に係るコサージュ１の布と箔を張り合わせることを特徴とするオリジナリティーが発揮されている。
【００１９】  又、花びら中心の支えとなる部分３、さらにめしべの４は、布と箔を張り合わせたものを太さをだしたワイヤーに縦巻きにつけてある。これは、本来造花を作る際支えとなるワイヤーは２枚を張り合わせる中に入れ込むのを常とするが、布と箔の間にワイヤーを入れ込むと、ワイヤー部にあたる箔は断裂する。これを防ぐため本発明に係るコサージュは、ワイヤーを中に入れ込むことなく花びら表面箔に前記の縦巻きにされたものを取り付けることとする。
【００２０】  以上により請求項１に記載の発明によれば、金属箔の持つ高級感・豪奢性をいかんなく発揮できる。
【００２１】  又、請求項２の発明によれば、張り合わせる布を染色されたものにすることによって、表面の金属箔花びらに下部の布色が反映し、同時に手びねりやそり返しの作業によって裏面布が出現し、箔を染めることなくバラエティーに富んだ配色が可能となる。
【００２２】  これを以って、請求項３に記載されている発明は需要者のコサージュの選択の幅を広げることになる。
【００２３】  次に、この考案のブーケの実施形態の一例について、図面により説明する。
【００２４】  図３、及び図４において、例えば結婚式披露宴等で花嫁が手に持つばらをモチーフとしたブライダルブーケの実施形態の全体構成が示されている。
【００２５】  ブーケ７を構成する花はばらをモチーフとしており、すべてのばら花びら２は表面金箔、裏面絹生地となっている。張り合わせる花びらはこれに限定せず、表面はすべての金属箔、裏面はすべての布種類とする。
【００２６】  ブーケ３において、大輪のばら８は相当数の花びら２を使用しているにもかかわらず、重量において従来のブーケ同様の重さである。以上により、請求項１に記載の発明によれば、金属箔の持つ高級感、豪奢性をいかんなく発揮できる。
【００２７】  また請求項２の発明によれば、表面はすべて金箔のみであるのに対し、裏面の布色を変えることによって表面の金箔に裏面の布色が反映し、例えば大輪のばら８は赤味がかった、又、小輪のばら９は紫がかった、葉１０は緑がかったバラエティーな配色のブーケとなる。さらにはより豪奢性を高めるためにゴールドのチェーン１１を取り付けても、生花に比べよりマッチさせることができる。
【００２８】  これを以って、請求項４に記載されている発明は需要者の高級感・豪奢観を十分に満たすことが出来、ブーケ選択の幅を大いに拡げることになる。
【図面の簡単な説明】
【図１】  図１は、この考案に係るコサージュの全体構成を示す正面図である。
【図２】  図２は、同上のコサージュの側面図である。
【図３】  図３は、この考案に係るブーケの全体構成を示す正面図である。
【図４】  図４は、同上のブーケの側面図である。
【符号の説明】
１    コサージュ
２    花びら
３    花びら支え芯
４    めしべ
５    布地出現部
６    布色反映部
７    ブーケ
８    大輪ばら
９    小輪ばら
１０  葉
１１  チェーン
１２  ハンドル
【図１】
0003121606.tif 000003
【図２】
0003121606.tif 000004
【図３】
0003121606.tif 000005
【図４】
0003121606.tif 000006
【手続補正書】
【提出日】平成18年2月1日(2006.2.1)
【手続補正１】
【補正対象書類名】実用新案登録請求の範囲
【補正対象項目名】全文
【補正方法】変更
【補正の内容】
【実用新案登録請求の範囲】
【請求項１】
膠又は化学のりを用いて布と箔を張り合わせ、これを使用することを特徴とする装飾品。
【請求項２】
張り合わせる布は染色したものを用いることを特徴とする請求項１記載の装飾品。
【手続補正２】
【補正対象書類名】明細書
【補正対象項目名】全文
【補正方法】変更
【補正の内容】
【考案の詳細な説明】
【技術分野】
【０００１】  この考案は、装飾品、特に女性が使用するコサージュとブライダルブーケに関するものである。
【背景技術】
【０００２】  今日、女性が使用する装飾品、特にコサージュは色鮮やかな布、レース、ビーズ等さまざな材料を用いて構成されたものとなっている。また、ブーケにおいても多種類の生花又は造花で構成されたものである。その中に金箔と葉脈を張り合わせたアクセサリーがあるものの葉のみの構成であり、花まで形成出来るまでには至っていない。
【特許文献１】  特開平１０−３２７９１３
【考案の開示】
【考案が解決しようとする課題】
【０００３】  しかしながら既製の布で構成されるコサージュは、染色の際に染料に金箔・銀箔を混ぜ込む程度のもので、形成途中で箔が落ちていくこともしばしばであった。又、サテンラメ等の化繊布を使用したコサージュは、派手さはあるものの化繊布であるがゆえ、貴金属のように需要者の高級感を満たすものとはなってはいない。【０００４】  ブーケにおいても、花の種類が豊富であるとは言え、花の組み合わせパターンは均一になりがちで、さらに華やかさを増していくウエディングドレスを飾るものとして、需要者の中には従来のブーケよりも、より華やかで高級志向を満たすものを求めており、その選択に応えるものではなかった。【０００５】  需要者の高級志向を満たせる貴金属は、その重量から現在ブローチとして形成されるのみでコサージュ・ブーケとは程遠いものである。【０００６】  そこでこの考案は、需要者の選択の幅を拡大して、需要者の高級志向・趣味の一環に応えることを可能とし、装飾品であるコサージュはもちろん、ブーケにおいては長期間の保存が可能であるため、華やかなインテリアグッズとしても好適なブーケを提供することを目的とする。
【課題を解決するための手段】
【０００７】  しかして、この考案に係る装飾品コサージュ及びブーケは、膠又は化学のりを用いて、布と箔を張り合わせたものにより成ることを特徴としている。（請求項１）【０００８】  これにより、金属箔の持つ高級感、特に金箔・プラチナ箔の豪奢さは、より需要者の趣味に応えやすくなる。【０００９】  また、張り合わせる布は染色したものを用いている。（請求項２）
【考案の効果】
【００１０】  これにより、コサージュ及びブーケを作る際、重ね合わせていく花びら等に裏面の布色が表面の金属箔に反映し、箔そのものを染めることなく、たとえば紫がかった金箔・赤味がかったプラチナ箔となる。また、現在造花を作るにはその花の表情を出すために専用のこてを使用するが、金属箔面にこてを使用すると熱源となるこて部に金属箔が全面的に付着するためこて使用は当て布をして必要最小限にとどめる。その代わりに手びねりを施し、そり返しや曲げなどにより表情をだす。裏面の布がこの作業によって伸びることにより、表面の金属箔は粒子状に広がり裏面の布が表に出現する。織りの粗いものは金属粒子が散漫に拡がり、織りの密なものは細かい粒子状になりなめらかに拡がることになる。この現象により、布と金属箔を張り合わせて作る装飾品は、布と金属箔の持つ特性をより効果的なものとする。【００１１】  現在、金属によるコサージュは、その完成品の重量からより大きなものを作るには不向きであるが、布と箔を張り合わせたものから成るコサージュは軽量であり、十分な大きさにも対応することが出来る。又、布と金属箔の持つ両長所を生かした、高級感があり、さらに多種の色を反映することが出来るコサージュ作りが可能となる。【００１２】  また、ますます豪奢性を増すウエディングドレスに従来のブーケに比し、より対応出来る高級感、豪華さを併せ持つブーケ作りが可能となる。
【考案を実施するための最良の形態】
【００１３】  この考案の実施形態の一例について図面により説明する。
【実施例１】
【００１４】  図１・及び図２において、例えば女性が胸に飾るコサージュとして用いるゆりの花びらをモチーフとした実施形態の全体構成が示されている。【００１５】  コサージュ１を構成する花びら２はゆり花びらをモチーフとしており、花びら表面はプラチナ箔、裏面は絹生地となっている。張り合わせる組み合わせはこれに限定せず、表面はすべての金属箔、裏面はすべての布種類とする。【００１６】  コサージュ１は複数の表面はプラチナ箔、裏面は絹生地を張り合わせた花びら２で構成されている。この実施形態では、花びら２を複数重ね合わせることにより、下部の花びら６部分に上部花びら裏面の布色が反映されている。６はすべての下部花びらに現れる現象である。又、花びらとしての表情を出すため、手びねり、そり返し等の作業により花びら２の表面の金箔は粒子状に伸び５部には裏布が出現している。これも多数みられる現象である。ここに、本考案に係るコサージュ１の布と箔を張り合わせることを特徴とするオリジナリティーが発揮されている。【００１７】  又、花びら中心の支えとなる部分３、さらにめしべの４は、布と箔を張り合わせたものを太さをだしたワイヤーに縦巻きにつけてある。これは、本来造花を作る際支えとなるワイヤーは２枚を張り合わせる中に入れ込むのを常とするが、布と箔の間にワイヤーを入れ込むと、ワイヤー部にあたる箔は断裂する。これを防ぐため本考案に係るコサージュは、ワイヤーを中に入れ込むことなく花びら表面箔に前記の縦巻きにされたものを取り付けることとする。【００１８】  以上により請求項１に記載の考案によれば、金属箔の持つ高級感・豪奢性をいかんなく発揮できる。【００１９】  又、請求項２の発明によれば、張り合わせる布を染色されたものにすることによって、表面の金属箔花びらに下部の布色が反映し、同時に手びねりやそり返しの作業によって裏面布が出現し、箔を染めることなくバラエティーに富んだ配色が可能となる。
【実施例２】
【００２０】  図３、及び図４において、例えば結婚式披露宴等で花嫁が手に持つばらをモチーフとしたブライダルブーケの実施形態の全体構成が示されている。【００２１】  ブーケ７を構成する花はばらをモチーフとしており、すべてのばら花びら２は表面金箔、裏面絹生地となっている。張り合わせる花びらはこれに限定せず、表面はすべての金属箔、裏面はすべての布種類とする。【００２２】  ブーケ３において、大輪のばら８は相当数の花びら２を使用しているにもかかわらず、重量において従来のブーケ同様の重さである。以上により、請求項１に記載の考案によれば、金属箔の持つ高級感、豪奢性をいかんなく発揮できる。【００２３】  また請求項２の考案によれば、表面はすべて金箔のみであるのに対し、裏面の布色を変えることによって表面の金箔に裏面の布色が反映し、例えば大輪のばら８は赤味がかった、又、小輪のばら９は紫がかった、葉１０は緑がかったバラエティーな配色のブーケとなる。さらにはより豪奢性を高めるためにゴールドのチェーン１１を取り付けても、生花に比べよりマッチさせることができる。
【産業上の利用可能性】
【００２４】  これを以って、請求項１・２に記載されている考案は需要者の高級感・豪奢観を十分に満たすことが出来、装飾品、特に女性が使用するコサージュとブライダルブーケ選択の幅を大いに拡げることになる。
【図面の簡単な説明】
【００２５】
【図１】  図１は、この考案に係るコサージュの全体構成を示す正面図である。
【図２】  図２は、同上のコサージュの側面図である。
【図３】  図３は、この考案に係るブーケの全体構成を示す正面図である。
【図４】  図４は、同上のブーケの側面図である。
【符号の説明】
【００２６】１    コサージュ
２    花びら
３    花びら支え芯
４    めしべ
５    布地出現部
６    布色反映部
７    ブーケ
８    大輪ばら
９    小輪ばら
１０  葉
１１  チェーン
１２  ハンドル